(57)【特許請求の範囲】
【請求項１】
一方側の第１壁面、及び、他方側の第２壁面、を備えた筐体と、
前記筺体に対し回転可能に支持され、第１平刃を備えた回転体と、
前記筺体に支持され、前記第１平刃と協働して被切断物を切断する第２平刃を備えた保持体と、
を有するロータリーカッタ装置であって、
前記回転体は、
回転軸心のまわりに回転可能となるように前記筺体に設けられ、前記回転軸心と交わる平面上において前記回転軸心から離間した位置に配置された、平刃取付部と、
前記第１平刃を前記平刃取付部に固定する平刃支持部と、
を有し、
前記第１平刃は、
前記回転軸心の周囲に空間を確保しつつ回転するとともに、
略板状の第１基部と、
前記第１基部の縁部に直線状に延びる第１刃先部と、
を備え、
前記第２平刃は、
略板状の第２基部と、
前記第２基部の縁部に直線状に延びる第２刃先部と、
を備え、
前記平刃取付部は、
前記第１ブラケットと前記第２ブラケットとの間を接続するように設けられるとともに、前記第１平刃の前記第１基部を取り付けるよう、略板状に構成されており、
前記平刃支持部は、
前記平刃取付部が回転したときに前記第１刃先部の描く回転軌跡が、前記第２刃先部に対して近接する若しくは重なるとともに、前記回転軸心まわりの回転軌跡の周方向において、前記第１平刃の他方側における前記第１刃先部の端部が、一方側における前記第１刃先部の端部よりも前記平刃取付部の縁部から突出させて前記第１平刃の前記一方側の端部の回転軌跡と前記第１平刃の前記他方側の端部の回転軌跡とが互いに同一の径方向寸法の回転軌跡を形成するように、前記第１平刃を前記平刃取付部に対して支持し、
前記保持体は、
前記回転軸心と所定間隔を介し略平行となるように前記第２平刃を保持可能な保持部を備え、
前記回転体は、
前記筺体の前記第１壁面に対し前記回転軸心において回転可能に支持され、前記回転軸心の径方向に沿った第１寸法を備えた第１ブラケットと、
前記筺体の前記第２壁面に対し前記回転軸心において回転可能に支持され、前記径方向に沿って前記第１寸法より小さな第２寸法を備えた第２ブラケットと、
を有し、
前記第２壁面の外面には、
前記回転体を回転させるために前記第２壁面を貫通した駆動手段の駆動軸と、前記第２壁面を貫通した前記第２ブラケットの回転軸と、の間にギア列からなる駆動伝達機構が設置されている
ことを特徴とするロータリーカッタ装置。
【請求項２】
請求項１記載のロータリーカッタ装置において、
前記平刃取付部は、
略長方形の形状を備えており、
前記平刃支持部は、
前記直線状に延びる前記第１刃先部の延設方向が、前記略長方形である前記平刃取付部の縁部の方向に対し、所定の角度をもって非平行となるように、前記第１平刃を前記平刃取付部に対して固定する
ことを特徴とするロータリーカッタ装置。
【請求項３】
請求項１又は請求項２記載のロータリーカッタ装置において、
前記駆動手段は、
前記平刃取付部のうち前記第１平刃の前記第１刃先部と反対側の端部が進行方向前方となるように、前記回転体を回転させる
ことを特徴とするロータリーカッタ装置。
【請求項４】
請求項１乃至請求項３のいずれか１項記載のロータリーカッタ装置において、
前記保持体が前記回転体の回転軌跡に対して遠近可能となるように、前記保持部の両端部を、前記筺体の前記第１壁面及び前記第２壁面に対し揺動可能に支持する揺動支持手段を有する
ことを特徴とするロータリーカッタ装置。
【発明の詳細な説明】
【技術分野】
【０００１】
本発明は、被切断物を切断するロータリーカッタ装置に関する。
【背景技術】
【０００２】
搬送される被切断物に対し、搬送を停止させることなく切断を行える、ロータリーカッタ装置が既に知られている（例えば、特許文献１参照）。この従来技術のロータリーカッタ装置では、円筒形の胴部の外周に螺旋状の刃物が設けられ、その刃物の各部を順次被切断物に切り込ませることで、被切断物に対し直線的に切断が行われる。
【先行技術文献】
【特許文献】
【０００３】
【特許文献１】実公昭６０−１９９７号公報
【発明の概要】
【発明が解決しようとする課題】
【０００４】
上記従来技術においては、螺旋状の形状をした特殊な刃物が用いられ、その刃物が円筒形の胴部の外周に設けられるので、構造が複雑である。また、その胴部に螺旋状の刃物を設置するとき、胴部からの刃物の突出寸法等の寸法管理を非常に高精度に行う必要があるので、製造工程が複雑化し、製造コストの増大を招いていた。
【０００５】
本発明の目的は、構造や製造工程を簡素化でき、製造コストを低減できるロータリーカッタを提供することにある。
【課題を解決するための手段】
【０００６】
上記目的を達成するために、本願発明は、一方側の第１壁面、及び、他方側の第２壁面、を備えた筐体と、前記筺体に対し回転可能に支持され、第１平刃を備えた回転体と、前記筺体に支持され、前記第１平刃と協働して被切断物を切断する第２平刃を備えた保持体と、を有するロータリーカッタ装置であって、前記回転体は、回転軸心のまわりに回転可能となるように前記筺体に設けられ、前記回転軸心と交わる平面上において前記回転軸心から離間した位置に配置された、平刃取付部と、前記第１平刃を前記平刃取付部に固定する平刃支持部と、を有し、前記第１平刃は、前記回転軸心の周囲に空間を確保しつつ回転するとともに、略板状の第１基部と、前記第１基部の縁部に直線状に延びる第１刃先部と、備え、前記第２平刃は、略板状の第２基部と、前記第２基部の縁部に直線状に延びる第２刃先部と、を備え、前記平刃取付部は、前記第１ブラケットと前記第２ブラケットとの間を接続するように設けられるとともに、前記第１平刃の前記第１基部を取り付けるよう、略板状に構成されており、前記平刃支持部は、前記平刃取付部が回転したときに前記第１刃先部の描く回転軌跡が、前記第２刃先部に対して近接する若しくは重なるとともに、前記回転軸心まわりの回転軌跡の周方向において、前記第１平刃の他方側における前記第１刃先部の端部が、一方側における前記第１刃先部の端部よりも前記平刃取付部の縁部から突出させて前記第１平刃の前記一方側の端部の回転軌跡と前記第１平刃の前記他方側の端部の回転軌跡とが互いに同一の径方向寸法の回転軌跡を形成するように、前記第１平刃を前記平刃取付部に対して支持し、前記保持体は、前記回転軸心と所定間隔を介し略平行となるように前記第２平刃を保持可能な保持部を備え、前記回転体は、前記筺体の前記第１壁面に対し前記回転軸心において回転可能に支持され、前記回転軸心の径方向に沿った第１寸法を備えた第１ブラケットと、前記筺体の前記第２壁面に対し前記回転軸心において回転可能に支持され、前記径方向に沿って前記第１寸法より小さな第２寸法を備えた第２ブラケットと、を有し、前記第２壁面の外面には、前記回転体を回転させるために前記第２壁面を貫通した駆動手段の駆動軸と、前記第２壁面を貫通した前記第２ブラケットの回転軸と、の間にギア列からなる駆動伝達機構が設置されていることを特徴とする。
【０００７】
本願発明のロータリーカッタ装置は、筐体と、回転体と、保持体とを有する。回転体に備えられた第１平刃が、回転体の回転とともに、保持体に備えられた第２平刃と協働し、動いている状態の被切断物に対し直線的な切断を行う。このとき、回転体は、平刃取付部を備えている。平刃取付部は回転軸心から離間した位置にあって、回転軸心と交わる平面上に配置されている。具体的には、例えば、回転軸心のまわりに回転したとき、平刃取付部の一方側の端部による回転軌跡の径方向寸法が平刃取付部の他方側の端部による回転軌跡の径方向寸法よりも大きくなるように、回転軸心に対して傾斜して配置されている。すなわち、平刃取付部の一方側は回転軸心から比較的遠い位置で回転軌跡を描きながら回転する一方、平刃取付部の他方側は回転軸心から比較的近い位置で回転軌跡を描きながら回転することとなる。
【０００８】
このような傾斜した状態での回転挙動を行う平刃取付部に対し、平刃支持部を介して第１平刃が支持される。このとき、第１平刃は、例えば、一方側の端部と他方側の端部とで、周方向に沿った突出量が異なるように設けられる。すなわち、上記平刃取付部の他方側に対応した第１平刃の他方側の端部は、平刃取付部の一方側に対応した第１平刃の一方側の端部よりも、周方向において大きく突出するように設けられる。
【０００９】
第１平刃の他方側の端部が周方向に大きく突出して設けられることにより、回転体の回転時において、第１平刃の他方側の端部は、回転軸心から比較的近い位置で回転する平刃取付部の他方側が形成する小径の回転軌跡のさらに径方向外側に、比較的大きい径の回転軌跡を形成することができる。一方、第１平刃の一方側の端部は周方向に小さく突出して設けられることにより、回転体の回転時において、第１平刃の一方側の端部は、回転軸心から比較的遠い位置で回転する平刃取付部の一方側が形成する大径の回転軌跡の径方向外側近傍で、比較的大きい径の回転軌跡を形成することができる。
【００１０】
上記のようにすることで、本願第１発明では、第１平刃の一方側の端部と、第１平刃の他方側の端部とが、互いに同一径の回転軌跡となる。この結果、回転体の第１平刃は一方側から他方側までの全域にわたって回転軸心から概ね同一距離を保って回転する。したがって、回転軸心から当該同一となる所定距離だけ離れた位置に被切断物を導入することで、第１平刃の一方側から他方側までの全域によって被切断物に対しほぼ直線的な切断を行うことができる。
【００１１】
このとき、前述のように、小径の回転軌跡で回転する平刃取付部の他方側に対し第１平刃の他方側を大きく突出して設け、大径の回転軌跡で回転する平刃取付部の一方側に対し第１平刃の一方側を小さく突出して設けている。このような構成の結果、回転体の回転により第１平刃の一方側及び他方側が回転軸心から所定距離だけ離れた位置（被切断物の位置）に出現するタイミングが、互いに異なるタイミングとなる。すなわち、単純に平刃を回転軸心と平行に設けて静止した被切断物を切断する場合のように刃先の全ての部分が同一のタイミングで被切断物に切り込むのではなく、本願発明においては、例えば第１平刃の一方側があるタイミングで被切断物の位置に到達して被切断物の切断を行った後、回転体の回転が進んだ別のタイミングで第１平刃の他方側が被切断物の位置に到達し、被切断物の切断を行う。
【００１２】
以上の結果、本願発明のロータリーカッタ装置においては、円筒形の胴部の外周に設けた螺旋状の刃物の各部を順次被切断物に切り込ませ被切断物に対し直線的に切断を行う通常のロータリーカッタと同様の切断態様を、平刃のみを用いた構成により実現することができる。これにより、上記螺旋状の刃物を用いる構造と異なり、構造を簡素化できるとともに製造工程を簡素化でき、さらに製造コストを低減することができる。
【発明の効果】
【００１３】
本発明によれば、構造や製造工程を簡素化でき、製造コストを低減することができる。
【図面の簡単な説明】
【００１４】
【図１】本発明の一実施の形態のロータリーカッタ装置を正面側斜め上方から見た斜視図である。
【図２】ロータリーカッタ装置を後ろ側斜め下方から見た斜視図である。
【図３】ロータリーカッタ装置の回転体を示す側面図、及び、下面図である。
【図４】各部の回転軌跡を説明するための説明図である。
【図５】ロータリーカッタ装置の回転位相０°ときの回転体及び保持体を示す図である。
【図６】ロータリーカッタ装置の回転位相９０°ときの回転体及び保持体を示す図である。
【図７】回転体及び保持体による被切断物の切断工程を示す説明図である。
【図８】回転体と保持体との間への被切断物の導入態様を示す説明図である。
【発明を実施するための形態】
【００１５】
以下、本発明の一実施の形態を図面を参照しつつ説明する。
【００１６】
図１及び図２に示すように、本実施形態のロータリーカッタ装置１０は、筐体１２と、第１平刃２１を有する回転体２０と、第２平刃３１（固定刃）を有する保持体３０とを備えている。筐体１２は、一方側（図１の左側、図２の右側）に第１壁面１３を有し、他方側（図１の右側、図２の左側）に第２壁面１４を有している。回転体２０は、筐体１２の第１壁面１３と第２壁面１４との間の上方寄りの位置に回転可能に支持され、保持体３０は、筐体１２の第１壁面１３と第２壁面１４との間の下方寄りの位置に揺動可能に支持されている。
【００１７】
回転体２０は、一方側（図１の左側、図２の右側）の第１ブラケット２２と、他方側（図１の右側、図２の左側）の第２ブラケット２３と、第１ブラケット２２と第２ブラケット２３との間を接続するように設けられた平刃取付部２４と、この平刃取付部２４に設けられた平刃支持部２５とを備えている。
【００１８】
第１ブラケット２２は、筐体１２の第１壁面１３に回転可能に支持され、第２ブラケット２３は、第１ブラケット２２と同一の回転軸心Ｏ上の位置で筐体１２の第２壁面１４に回転可能に支持されている。図３（ａ）及び図３（ｂ）に示すように、この第１ブラケット２２は、回転軸心Ｏの径方向に沿った第１寸法Ｌ１を有し、第２ブラケット２３は、第１ブラケット２２よりも短く設けられ、回転軸心Ｏの径方向に沿って第１寸法Ｌ１よりも小さな第２寸法Ｌ２を有している。
【００１９】
平刃取付部２４は、上述したように、第１ブラケット２２と第２ブラケット２３との間を接続するように設けられている。すなわち、平刃取付部２４は、第１ブラケット２２と第２ブラケット２３とを介して離間した上記回転軸心Ｏのまわりに回転可能なように筐体１２に設けられている。そして平刃取付部２４は、図４及び図３に示すように、回転軸心Ｏと交わる平面上において回転軸心Ｏから離間した位置に配置されている。具体的には、回転時における一方側(図３及び図４の右側)の端部の回転軌跡Ｓ１が他方側(図３及び図４の左側)の端部の回転軌跡Ｓ２よりも大径になるよう、離間した上記回転軸心Ｏに対して角度α（図３（ａ）参照）だけ傾斜して配置されている。この平刃取付部２４は、第１平刃２１を取り付けるよう、略板状、本例では図３（ｂ）に示すように、略長方形の形状に構成されている。
【００２０】
第１平刃２１は、略板状の第１基部２１ａと、この基部２１ａの縁部に直線状に延びる第１刃先部２１ｂとを備える。このとき、図３（ｂ）に示すように、平刃支持部２５は、直線状に延びる第１刃先部２１ｂの延設方向が、略長方形である平刃取付部２４の縁部の方向に対し、所定の角度βをもって非平行となるように、第１平刃２１を平刃取付部２４に対して固定している。この結果、図３及び図４に示すように、上記回転軸心Ｏまわりの回転軌跡の周方向において、第１平刃２１の他方側(図１の右側、図２の左側)における第１刃先部２１ｂの端部２１Ｂが、一方側(図１の左側、図２の右側) における第１刃先部２１ｂの端部２１Ａよりも平刃取付部２４の縁部から突出している。第１刃先部２１ｂのうち端部２１Ｂと端部２１Ａとの中間部２１Ｃは、それら端部２１Ｂと端部２１Ａとの間を直線的に結ぶ形状となっている。このような取り付け態様により、それら第１刃先部２１ｂが上記回転軸心Ｏまわりに描く回転軌跡を軸方向から見た場合、図４に示すように、端部２１Ａ及び端部２１Ｂの回転軌跡は同一の大径の円周軌跡Ｓ０となる。その一方、中間部２１Ｃの回転軌跡は、上記円周軌跡Ｓ０の内側において描かれる。
【００２１】
なお、本実施形態では、第１平刃２１を平刃取付部２４に対し固定するのに、平刃支持部２５として取り付けネジを用いたが、平刃支持部２５を接着剤で構成してもよい。さらに、平刃支持部２５は、平刃取付部２４と一体に形成して、第１平刃２１を平刃取付部２４に対して支持するものであってもよい。
【００２２】
図１及び図２に戻り、保持体３０は、筐体１２の第１壁面１３と第２壁面１４との間に支持され、上記回転軸心Ｏと所定間隔を介し略平行となるように第２平刃３１を保持可能な板状の保持部３２を備えている。第２平刃３１は、取り付けネジ３３で固定することによって保持部３２に保持されている。第２平刃３１は、略板状の第２基部３１ａと、この第２基部３１ａの縁部に直線状に延びる第２刃先部３１ｂとを備えている。このとき、上記平刃支持部２５は、平刃取付部２４が回転したときに第１刃先部２１ｂの描く回転軌跡が、第２刃先部３１ｂに対して近接する若しくは重なるように、第１平刃２１を平刃取付部２４に対して支持している。
【００２３】
さらに、上記保持体３０は、回転体２０の回転軌跡に対して遠近可能となるように、保持部３２の両端部３４を、筐体１２の第１壁面１３及び第２壁面１４に対し揺動可能に支持する、揺動支持機構３５（揺動支持手段）を有している。揺動支持機構３５は、図２に示すように、保持部３２の両端部３４に長手方向に水平な延出部３４ａを設けるとともに、筐体１２の第１壁面１３及び第２壁面１４に幅方向に水平な長穴３６を設けている。そして、両端部３４の延出部３４ａを第１壁面１３及び第２壁面１４の長穴３６に遊嵌し、保持部３２の両端部３４に下方向への折曲がり片状に設けたバネ取付部３４ｂと第１壁面１３及び第２壁面１４との間にそれぞれねじりコイルバネ３７を取り付けている。そして、ねじりコイルバネ３７によって保持部３２の両端部３４を回転体２０方向に対し付勢するように構成されている。
【００２４】
また、保持体３０には、保持部３２の下面の一方側又は他方側、この例では他方側（図２の左側）に回転体２０の駆動手段として機能するモータ３８が取り付けられている。これに対応して、筐体１２の他方側の第２壁面１４の外面には、第２壁面１４を貫通したモータ３８からの駆動軸３８ａと、第２壁面１４を貫通した回転体２０の第２ブラケット２３の回転軸２３ａとの間にギア列からなる駆動伝達機構３９（駆動伝達手段）が設置されている。モータ３８は、平刃取付部２４のうち第１平刃２１の第１刃先部２１ｂと反対側の端部が進行方向前方となるように、駆動伝達機構３９を介して回転体２０を回転して、回転体２０と保持体３０との間に挿入された被切断物を走行状態で切断させる。
【００２５】
図５及び図６に、回転体２０の回転による第１平刃２１の回転姿勢の一例を示す。図５は、回転体２０の第１平刃２１が保持体３０の第２平刃３１に対し直立、すなわち図５の紙面と平行に位置している状態である。説明の便宜上、第１平刃２１が上記のように直立した状態の回転姿勢を回転位相０°と称する。回転位相０°の第１平刃２１は、刃先部２１ｂが保持体３０の第２平刃３１の刃先部３１ｂから最も遠い位置にある。図６は、上記モータ３８の駆動力による回転体２０の回転（図５、図６の矢印参照）に伴い第１平刃２１が回転して、第１平刃２１が回転位相９０°に位置している状態である。回転位相９０°の第１平刃２１は、図５の紙面に対し垂直に位置し、かつ刃先部２１ｂが保持体３０の第２平刃３１の刃先部３１ｂに近づいた状態である。すなわち、回転体２０は、平刃取付部２４のうち第１平刃２１の第１刃先部２１ｂと反対側の端部が進行方向前方（図６の奥側）となるように回転する。
【００２６】
本実施形態では、上記のような２つの平刃２１，３１を用いた構成により、従来の円筒形の胴部の外周に螺旋状の刃物を設けた構造と同等の切断機能を実現することができる。以下、その原理を詳細に説明する。
【００２７】
すなわち、上述したように、本実施形態のロータリーカッタ装置１０は、筐体１２と、回転体２０と、保持体３０とを有する。回転体２０に備えられた第１平刃２１が、回転体２０の回転とともに、保持体３０に備えられた第２平刃３１と協働し、動いている状態の紙Ｐ（被切断物）に対し直線的な切断を行う。このとき、回転体２０は、平刃取付部２４を備えている。このとき、上述したように、回転軸心Ｏのまわりに回転したときの平刃取付部２４の一方側の端部による回転軌跡Ｓ１の径方向寸法が平刃取付部２４の他方側の端部による回転軌跡Ｓ２の径方向寸法よりも大きくなるように、回転軸心Ｏに対して傾斜して配置されている。すなわち、平刃取付部２４の一方側は回転軸心Ｏから比較的遠い位置で回転軌跡Ｓ１を描きながら回転する一方、平刃取付部２４の他方側は回転軸心Ｏから比較的近い位置で回転軌跡Ｓ２を描きながら回転することとなる。
【００２８】
このような傾斜した回転挙動を行う平刃取付部２４に対し、平刃支持部２５を介して第１平刃２１が支持されている。このとき、上述したように、第１平刃２１は、一方側の端部２１Ａと他方側の端部２１Ｂとで、周方向に沿った突出量が異なるように設けられる。すなわち、上記平刃取付部２４の他方側に対応した第１平刃２１の他方側の端部２１Ｂは、平刃取付部２４の一方側に対応した第１平刃２１の一方側２１Ａの端部よりも、周方向において大きく突出するように設けられる（図３（ａ）、図３（ｂ）、図４参照）。
【００２９】
第１平刃２１の他方側の端部２１Ｂが周方向に大きく突出して設けられることにより、回転体２０の回転時において、当該端部２１Ｂは、回転軸心Ｏから比較的近い位置で回転する平刃取付部２４の他方側が形成する小径の回転軌跡Ｓ２のさらに径方向外側に、比較的大きい径の回転軌跡を形成する。一方、第１平刃２１の一方側の端部２１Ａは周方向に小さく突出して設けられることにより、回転体２０の回転時において、当該端部２１Ａは、回転軸心Ｏから比較的遠い位置で回転する平刃取付部２４の一方側が形成する大径の回転軌跡Ｓ１の径方向外側近傍で、比較的大きい径の回転軌跡を形成する。
【００３０】
これらの結果、第１平刃２１の一方側の端部２１Ｂの回転軌跡と、第１平刃２１の他方側の端部２１Ａの回転軌跡とを、ほぼ同じ径の円周軌跡Ｓ０上に位置させることができる。すなわち、第１平刃２１の一方側の端部２１Ａ及び他方側の端部２１Ｂが互いに同一の径方向寸法の回転軌跡を形成する（図４参照）こととなり、回転体２０の第１平刃２１は一方側から他方側までの全域にわたって回転軸心Ｏからほぼ同一距離を保って回転する（但し，厳密には前述のように中間部２１Ｃにおいては、上記同一距離よりも若干小さな距離をもって回転する）。したがって、回転軸心Ｏから当該同一となる所定距離だけ離れた位置に紙Ｐを導入することで、第１平刃２１の一方側から他方側までの全域によって紙Ｐに対しほぼ直線的な切断を行うことができる。
【００３１】
このとき、前述のように、小径の回転軌跡で回転する平刃取付部２４の他方側に対し第１平刃２１の他方側を大きく突出して設け、大径の回転軌跡で回転する平刃取付部２４の一方側に対し第１平刃２１の一方側を小さく突出して設けている。このような構成の結果、回転体２０の回転により第１平刃２１の一方側及び他方側が回転軸心Ｏから所定距離だけ離れた位置（紙Ｐの位置）に出現するタイミングが、互いに異なるタイミングとなる。すなわち、単純に平刃を回転軸心Ｏと平行に設けて静止した紙Ｐを切断する場合のように刃先の全ての部分が同一のタイミングで紙Ｐに切り込むのではなく、本実施形態においては、例えば第１平刃２１の一方側があるタイミング（回転方向位置）で紙Ｐの位置に到達して紙Ｐの切断を行った後、回転体２０の回転が進んだ別のタイミングで第１平刃２１の他方側が紙Ｐの位置に到達し、紙Ｐの切断を行うこととなる。
【００３２】
上述した原理に基づく被切断物の切断は図７（ａ）〜図７（ｃ）及び図８に示すように行われる。被切断物の紙Ｐは、図８に示すように、第１ブラケット２２が位置する一方側で進行方向先端側の突出量が大きくなるような傾斜した搬送経路で、例えば図示しない送りローラによって回転体２０と保持体３０との間に第１平刃２１の基部側から導入される。
【００３３】
回転体２０の回転により上述した第１平刃２１の回転位相が例えば１１０°になると、図７（ａ）に示すように、第１平刃２１の第１刃先部２１ｂが保持体３０の第２平刃３１の第２刃先部３１ｂと一方側の端部において重なる（もしくは近接する、以下同様）、切断実行部位に達する。これとほぼ同時に、紙Ｐは、上述の搬送により、切断線ｈ（図８参照）の第１ブラケット２２の側と同側の一方側の端部が上記切断実行部位に達する。そして、第１刃先部２１ｂと第２刃先部３１ｂとが協働し上記切断実行部位において紙Ｐを当該一方側の端部から切り始める。
【００３４】
回転体２０の回転に伴い第１平刃２１の回転位相が進むと、第１刃先部２１ｂが第２刃先部３１ｂと重なる上記切断実行部位が、第２ブラケット２３が位置する他方側の端部に向けて移動する。上記切断実行部位に同期して、紙Ｐの切断線ｈが出現する位置も他方側の端部に向けて移動する。そして、図７（ｂ）に示すように、第１刃先部２１ｂの回転位相が例えば１２０°になるまでに、第１刃先部２１ｂと第２刃先部３１ｂとが協働して紙Ｐを一方側と他方側の中間部まで切断線ｈ上を切り進む。
【００３５】
回転体２０がさらに回転して、図７（ｃ）に示すように、第１平刃２１の回転位相が例えば１３０°になると、第１刃先部２１ｂと上記第２刃先部３１ｂとによる上記切断実行部位が切断線ｈに沿って紙Ｐの他方側の端部まで達する。このようにして、図８に示すように、紙Ｐの搬送を停止することなく、紙Ｐの走行方向に対し直角の切断線ｈ上を直線状に切り進む切断が終了する。
【００３６】
以上説明したように、本実施形態のロータリーカッタ装置１０においては、円筒形の胴部の外周に設けた螺旋状の刃物の各部を順次被切断物に切り込ませ被切断物に対し直線的に切断を行う通常のロータリーカッタと同様の切断態様を、平刃２１，３１のみを用いた構成により実現することができる。これにより、上記螺旋状の刃物を用いる構造と異なり、構造を簡素化できるとともに製造工程を簡素化でき、さらに製造コストを低減することができる。
【００３７】
また、平刃取付部２４は、略長方形の形状を備えており、平刃支持部２５は、直線状に延びる第１刃先部２１ｂの延設方向が、略長方形である平刃取付部２４の縁部の方向に対し、所定の角度βをもって非平行となるように、第１平刃２１を固定している。これにより、大径の回転軌跡Ｓ１を描く平刃取付部２４の一方側に対し第１平刃２１を周方向に小さく突出させ、小径の回転軌跡Ｓ２を描く平刃取付部２４の他方側に対し第１平刃２１を周方向に大きく突出させる構成を、確実に実現することができる。
【００３８】
また、本実施形態では特に、ロータリーカッタ装置１０は、平刃取付部２４のうち第１平刃２１の第１刃先部２１ｂと反対側の端部が進行方向前方となるように、回転体２０を回転させるためのモータ３８を有する。第１平刃２１の基部側から紙Ｐを導入して切断を行うことにより、第１平刃２１の先端側から紙Ｐを導入する場合に比べ、滑らかに切断を行うことができる。また、紙Ｐに接触するときに第１平刃２１の刃先部２１ｂにおいて刃こぼれ等の破損や耐久性の低下が生じるのを抑制することができる。
【００３９】
さらに、本実施形態では特に、ロータリーカッタ装置１０は、保持体３０が回転体２０の回転軌跡に対して遠近可能となるように、保持部３２の両端部３４を、筐体１２の第１壁面１３及び第２壁面１４に対し揺動可能に支持する揺動支持機構３５を有している。保持体３０を揺動可能とすることにより、第１平刃２１の第１刃先部２１ｂが第２平刃３１の第２刃先部３１ｂと協働して紙Ｐへの切り込みを行うとき、それら刃先部２１ｂ，３１ｂどうしによる衝撃を緩和可能となり、円滑に切り込みを行うことができる。また、各刃先部２１ｂ，３１ｂにおいて刃こぼれ等の損傷や耐久性の低下が生じるのを防止することもできる。
【００４０】
なお、その他、一々例示はしないが、本発明は、その趣旨を逸脱しない範囲内において、種々の変更が加えられて実施されるものである。
【符号の説明】
【００４１】
１０              ロータリーカッタ装置
１２              筐体
１３              第１壁面
１４              第２壁面
２０              回転体
２１              第１平刃
２１ｂ            第１刃先部
２２              第１ブラケット
２３              第２ブラケット
２３ａ            回転軸
２４              平刃取付部
２５              平刃支持部
３０              保持体
３１              第２平刃（固定刃）
３１ｂ            第２刃先部
３２              保持部
３５              揺動支持機構（揺動支持手段）
３８              モータ（駆動手段）
３９              駆動伝達機構（駆動伝達手段）
Ｐ                紙（被切断物）
【図１】
0005605763.tif 000002
【図２】
0005605763.tif 000003
【図３】
0005605763.tif 000004
【図４】
0005605763.tif 000005
【図５】
0005605763.tif 000006
【図６】
0005605763.tif 000007
【図７】
0005605763.tif 000008
【図８】
0005605763.tif 000009